(57)【要約】      （修正有）【課題】様々なサイズ、幅と厚さの異なるカードを収容するためには、コネクタのカード収容空間はかなり拡大して必要であること、又位置合わせの手段はかなり複雑な構造となる。【解決手段】メモリカードコネクタ３４は、一以上の異なるタイプのメモリカードを収容するカード収容空間４８を少なくとも部分的に画定する絶縁ハウジング３６を含む。空間に挿入された第１及び第２の異なるタイプのメモリカード３６の適切な接点を係合するために、第１及び第２の導電端子群がハウジング３６に取り付けられている。ガイド端子４４、４６は、第１のタイプのメモリカードをカード収容空間４８内に案内する第１のガイド面と、第２のタイプのメモリカード３６をカード収容空間４８内に案内する、第１のガイド面から独立した第２のガイド面とを備えるほぼ剛体の本体部を備える。【選択図】図８
2005100365.tif 000002
【特許請求の範囲】
【請求項１】
一以上の異なるタイプのメモリカードを収容するためのカード収容空間を少なくとも部分的に画定する絶縁ハウジングと、
ハウジングに取り付けられており、前記空間に挿入された第１のタイプのメモリカード上の適切な接点と係合する第１の導電端子群と、
ハウジングに取り付けられており、前記空間に挿入された第２のタイプのメモリカード上の適切な接点と係合する第２の導電端子群と、
前記カード収容空間の両側にそれぞれ取り付けられ、第１のタイプのメモリカードをカード収容空間内に案内する第１のガイド面、及び、第２のタイプのメモリカードをカード収容空間内に案内する、第１のガイド面から独立した第２のガイド面を備えるほぼ剛体の本体部を含む第１及び第２の導電ガイド端子とを有するメモリカードコネクタ。
【請求項２】
前記ガイド端子の本体部は、前記第１又は第２のガイド面の一方を画定する内側面を備えるほぼ直立な壁を含む、請求項１に記載のメモリカードコネクタ。
【請求項３】
前記ガイド端子の本体部は、前記第１又は第２のガイド面の一方を画定する内縁を備えるほぼ水平な壁を含む、請求項１に記載のメモリカードコネクタ。
【請求項４】
前記ガイド端子の本体部は、ほぼ水平な壁を含み、該水平な壁の上部が、前記第１又は第２のガイド面の一方を画定する、請求項１に記載のメモリカードコネクタ。
【請求項５】
前記ハウジングに取り付けられ、第３のタイプのメモリカード上の適切な接点と係合する第３の導電端子群を含み、前記ガイド端子の本体部は、第３のタイプのメモリカードをカード収容空間内に案内する、第１及び第２のガイド面から独立した第３のガイド面を備える、請求項１に記載のメモリカードコネクタ。
【請求項６】
前記第１及び第２の導電ガイド端子の一方が書き込み禁止用固定スイッチ端子を構成し、更に書き込み禁止用可動スイッチ端子であって、該可動スイッチ端子を動かして固定スイッチ端子と係合させるためにカード収容空間に挿入されたメモリカードによって係合可能な部分を備える書き込み禁止用可動スイッチ端子を含む、請求項１に記載のメモリカードコネクタ。
【請求項７】
前記第１及び第２の導電ガイド端子の一方がカード検出用固定スイッチ端子を構成し、更にカード検出用可動スイッチ端子であって、該可動スイッチ端子を動かして固定スイッチ端子と係合させるためにカード収容空間に挿入されたメモリカードによって係合可能な部分を備えるカード検出用可動スイッチ端子を含む、請求項１に記載のメモリカードコネクタ。
【請求項８】
前記第１及び第２の導電ガイド端子は、プリント回路基板に固定可能な脚部を含む、請求項１に記載のメモリカードコネクタ。
【請求項９】
カード収容空間を少なくとも部分的に画定する絶縁ハウジングと、
該ハウジングに取り付けられ、前記空間に挿入されたメモリカード上の適切な接点と係合する導電端子群と、
前記カード収容空間の一方の側に取り付けられ、メモリカードと係合してメモリカードを前記空間内に案内するほぼ剛体の本体部を含む固定スイッチ端子と、
該固定スイッチ端子の近くに取り付けられた可動スイッチ端子であって、該可動スイッチ端子を動かして固定スイッチ端子と係合させるためにカード収容空間に挿入されたメモリカードによって係合可能な部分を備える可動スイッチ端子とを有するメモリカードコネクタ。
【請求項１０】
前記スイッチ端子が書き込み禁止用スイッチを形成し、前記スイッチ端子が、プリント回路基板上の適切な回路トレースに固定可能な脚部を含む、請求項９に記載のメモリカードコネクタ。
【請求項１１】
前記スイッチ端子がカード検出用スイッチを形成し、前記スイッチ端子が、プリント回路基板上の適切な回路トレースに固定可能な脚部を含む、請求項９に記載のメモリカードコネクタ。
【請求項１２】
前記固定及び可動スイッチ端子が第１のスイッチ端子を構成し、更に、
カード収容空間の反対側に取り付けられ、メモリカードと係合しメモリカードを前記空間内に案内するほぼ剛体の本体部を含む第２の固定スイッチ端子と、
該第２の固定スイッチ端子の近くに取り付けられた第２の可動スイッチ端子であって、該第２の可動スイッチ端子を動かして第２の固定スイッチ端子と係合させるためにカード収容空間に挿入されたメモリカードによって係合可能な部分を備える第２の可動スイッチ端子とを含む、請求項９に記載のメモリカードコネクタ。
【請求項１３】
前記第１のスイッチ端子が書き込み禁止用スイッチを構成し、前記第２のスイッチ端子がカード検出用スイッチを構成する、請求項１２に記載のメモリカードコネクタ。
【請求項１４】
前記スイッチ端子のすべてが、プリント回路基板上の適切な回路トレースに固定可能な脚部を含む、請求項１３に記載のメモリカードコネクタ。
【発明の詳細な説明】
【技術分野】
【０００１】
本発明は、一般に電気コネクタの技術に関し、詳細にはメモリカードコネクタに関する。
【背景技術】
【０００２】
メモリカードは、当技術分野で知られており、情報をメモリ回路又は他の電子プログラムの形で含む。幾つかの形式のカード読み取り装置により、カード上に記憶された情報又は記憶を読み取る。そのようなカードは、今日の社会において、ビデオカメラ、デジタルスチルカメラ、スマートフォン、ＰＤＡ、音楽プレーヤ、ＡＴＭ、ケーブルテレビデコーダ、玩（がん）具、ゲーム機、ＰＣアダプタ、マルチメディアカード、及び、他の電子的アプリケーション等の多くの用途に使用されている。一般に、メモリカードは、カードコネクタを介してカード読み取りシステム、次に、外部装置に接続するための接点又は端子のアレイを含む。コネクタは、カード上の情報及びプログラムに迅速にアクセスするために行われるカードの抜き差しに容易に対応する。カードコネクタは、メモリカードの接点アレイと柔軟に係合する端子を含む。
【０００３】
メモリカードコネクタは、多くの場合、プリント回路基板に取り付けられる。メモリカード自体は、コネクタを介して読み出し書き込みを行い、ワードプロセッサ、パーソナルコンピュータ、個人情報端末等の電気機器間で情報を伝えることができる。
【０００４】
メモリカードコネクタの中には、制御スイッチを形成する１対の弾性導電端子による書き込み禁止機能を備えているものがある。この２つのスイッチ端子は、コネクタの側部に取り付けられており、互いに近くに配置されたそれぞれの弾性アームを有し、メモリカードによって相互係合するように動かされ、制御スイッチを閉じる。また、メモリカードコネクタの中には、例えば、カードの前縁などのメモリカードによって他のスイッチ端子の１つと係合するように動かされる第３のスイッチ端子によるカード検出機能を備えているものがある。これは、カードがコネクタに完全に差し込まれたことを示すか又は検出する。
【０００５】
図１は、全体を１０で示した前述のタイプの従来のメモリカードコネクタを示す。該コネクタは、全体を１２で示した絶縁ハウジングを含み、該絶縁ハウジングには、全体を１４で示した複数の端子が取り付けられている。ハウジングは、後方基部１６と、概略Ｕ字状の外形を画定する１対の側壁部１８とを備える。一般に、金属シェル（図示せず）が、ハウジングの上部に取り付けられ、ハウジングと組み合わさって、ハウジングの側壁部１８の間で基部１６の上側に、矢印「Ａ」の方向に差し込まれるメモリカードを収容する内部空洞２０を画定する。メモリカード上の適切な接点は、コネクタ端子１４の片持ち式接点部１４ａと係合する。該接点部は、空洞内に前方に延在している。コネクタは、プリント回路基板上に取り付けるように適合されており、コネクタ端子は、はんだ付けなどによって、基板上の適切な回路トレースに接続するためのテール部１４ｂを含む。
【０００６】
従来技術のコネクタ１０は、書き込み禁止機能を含み、全体を２２で示した第１のスイッチ端子が、ハウジングの一方の側壁部１８の第１のスロット２４に取り付けられている。第１のスイッチ端子は、接点アーム２２ａを含む。コネクタは、カード検出機能を含み、全体を２６で示した第２のスイッチ端子が、ハウジングの後部２９の第２のスロット２８に取り付けられている。全体を３０で示した第３のスイッチ端子は、Ｌ字形であり、ハウジングの後部３３と一方の側壁部の両方の中に延在しているＬ字形のスロット３２に取り付けられている。第２のスイッチ端子２６は、第３のスイッチ端子３０の弾性接点アーム３０ａの前方で、空洞２０内の前方に傾斜された弾性接点アーム２６ａを備える。
【０００７】
従来技術のコネクタ１０の空洞２０にメモリカードが差し込まれると、メモリカードの側縁が第３のスイッチ端子３０の弾性接点アーム３０ｂと係合し、該アームを偏移させて第１のスイッチ端子２２の接点アーム２２ａと係合させる。これにより、第１及び第３のスイッチ端子によって画定された「スイッチ」が閉じて書き込み禁止機能が働く。
【０００８】
メモリカードが空洞２０に完全に差し込まれると、メモリカードの前縁が第２のスイッチ端子２６の弾性接点アーム２６ａと係合し、該接点アームを偏移させて第３のスイッチ端子３０の弾性接点アーム３０ａと係合させる。これにより、第２及び第３のスイッチ端子によって画定された「スイッチ」が自動的に閉じて、コネクタのカード検出機能が働く。
【発明の開示】
【発明が解決しようとする課題】
【０００９】
図１の従来技術のメモリカードコネクタは、単一の特定タイプのメモリカードにしか接続機能を提供しないという欠点を有し、これがコネクタの使用を制限している。したがって、各タイプのメモリカード毎に特殊な構造のコネクタを個別に設計しなければならず、これにより、製造コストと在庫コストが大幅に高くなり、またメーカーに混乱が生じる。
【００１０】
様々なサイズ又はタイプのメモリカードを収容することができるメモリカードコネクタがいくつか存在するが、様々な幅と厚さのカードを収容するためにコネクタのカード収容空間はかなり拡大されている。そのようなコネクタは、様々なサイズのカードを適切に嵌（は）めて保持する点で問題がある。カードの位置合わせ手段はかなり複雑であり、様々なメモリカードを案内し、かつ、保持するようにコネクタハウジング内に成形しなければならない。本発明は、そのような問題を解決し、従来技術のメモリカードの欠点を解決するものである。
【００１１】
したがって、本発明の目的は、新規でかつ改善された前述のタイプのメモリカードコネクタを提供することである。
【課題を解決するための手段】
【００１２】
本発明の例示的な実施形態では、メモリカードコネクタは、一以上の異なるタイプのメモリカードを収容するカード収容空間を少なくとも部分的に画定する絶縁ハウジングを含む。空間に挿入された第１及び第２の異なるタイプのメモリカードの適切な接点を係合するために、第１及び第２の導電端子群がハウジングに取り付けられている。第１及び第２の導電ガイド端子がカード収容空間の両側にそれぞれ取り付けられている。ガイド端子は、第１のタイプのメモリカードをカード収容空間内に案内する第１のガイド面と、第２のタイプのメモリカードをカード収容空間内に案内する、第１のガイド面から独立した第２のガイド面とを備えるほぼ剛体の本体部を備える。
【００１３】
本発明の１つの形態によれば、ガイド端子の本体部は、カード収容空間に向かって内側に突出する水平壁と直立壁とを画定する逆Ｌ字状の形状を有する。直立壁の内側面は、第１のタイプのメモリカードをカード収容空間内に案内する第１のガイド面を画定する。水平壁の内縁は、第２のタイプのメモリカードを空間に案内するための第２のガイド面を画定する。
【００１４】
本発明の別の形態によれば、ハウジング上に、第３のタイプのメモリカード上の適切な接点と係合するための第３の導電端子群が取り付けられる。ガイド端子の水平壁の上部は第３のタイプのメモリカードをカード収容空間内に案内する、第１及び第２のガイド面から独立した第３のガイド面を画定する。
【００１５】
本発明の更に他の形態によれば、第１又は第２の導電ガイド端子の一方は、書き込み禁止用固定スイッチ端子を構成する。書き込み禁止用可動スイッチ端子は、カード収容空間に挿入されたメモリカードによって係合可能な部分を備え、該部分が、可動スイッチ端子を動かして固定スイッチ端子と係合させ、これらの端子によって画定された「スイッチ」を閉じてコネクタの書き込み禁止機能を働かせる。
【００１６】
本発明の更に別の形態によれば、第１又は第２の導電ガイド端子の一方が、カード検出用固定スイッチ端子を構成する。カード検出用可動スイッチ端子は、カード収容空間内に挿入されたメモリカードによって係合可能な部分を備え、該部分が、可動スイッチ端子を動かして固定スイッチ端子と係合させ、これらの端子によって画定された「スイッチ」を閉じてコネクタのカード検出機能を働かせる。
【００１７】
本発明の他の目的、特徴及び利点は、添付図面と関連して行われる以下の詳細な説明から明らかになるであろう。
【００１８】
新規であると考えられる本発明の特徴は、添付の特許請求の範囲において詳細に記載されている。本発明は、その目的及び利点とともに、添付図面と関連して行われる以下の詳細な説明を参照することによって最もよく理解されるであろう。全図面に亘（わた）り、同一の参照符号は同一の要素を示す。
【発明を実施するための最良の形態】
【００１９】
図面をより詳細に参照して説明を行う。最初に図１〜６を参照すると、全体を３４で示したメモリカードコネクタの第１の実施形態が、全体を３６で示した誘電性、すなわち、絶縁性のハウジングを有する。該ハウジング３６には、全体を３８で示した第１の導電端子群と、全体を４０で示した第２の導電端子群と、全体を４２で示した第３の導電端子群と、全体を４４で示した第１の導電ガイド端子と、全体を４６で示した第２の導電ガイド端子とが取り付けられている。これらの端子はすべて、導電性シートメタル材料から打ち抜き形成することができる。ハウジング３６は、プラスチック等の絶縁材料からモールド成形することができる。後で分かるように、ガイド端子４４は書き込み禁止用固定端子であり、ガイド端子４６はカード検出用固定端子である。
【００２０】
コネクタ１４のハウジング３６は、基部３６ａ、該基部に取り付けられた上側部３６ｂ、左側壁部３６ｃ及び右側壁部３６ｄをそれぞれ備える。したがって、全体を４８で示したカード収容空間は、ハウジングの基部、上側部及び側壁部によって画定され取り囲まれる。カード収容空間は、様々な幅と厚さを有する様々なタイプのメモリカード（例えば、ＳＤ、ＭＳ、ＳＭ及びＸＤカード）を収容するのに十分に大きく、かつ、適切に構成されている。
【００２１】
コネクタ３４のハウジング３６は、プリント回路基板に取り付けられるように適合されており、基板内の適切な取り付け穴に位置決めするための少なくとも１対の取り付けポスト３６ｅを含む。はんだ付け等によってプリント回路基板上の適切なはんだパッドに固定してコネクタを基板にしっかりと留めるために、ハウジングの各側壁部３６ｃ及び３６ｄの外側に金属固定部材５０が取り付けられている。
【００２２】
コネクタ３４のハウジング３６は、更に、側壁部３６ｃ及び３６ｄのほぼ内側に、基部３６ａの横方向に離間された１対の前方に開いた溝５２を備える。これらの溝は、ハウジング内に後方に延在しており、その後端に狭いスロット（図示せず）を備える。更に、基部３６ａの前面の溝５２の外側に、１対の狭いスロット５４が形成されている。
【００２３】
導電端子群３８、４０及び４２は、複数の端子３８ａ、４０ａ及び４２ａをそれぞれ含む。前述したように、端子は、導電性シートメタル材料から打ち抜き形成される。端子は、細長く、メモリカードの抜き／差し方向に延在している。導電端子群３８、４０及び４２は、ハウジングの上側部３６ｂ及び下側部３６ａのそれぞれに、３つの連続した列を構成するように配置されている。
【００２４】
導電端子群３８の各端子３８ａは、カード収容空間４８内に突出している接点部３８ｃとともに、プリント回路基板上の適切な回路トレースにはんだ付けするためのはんだテール部３８ｂを含む。同様に、導電端子群４０及び導電端子群４２の端子４０ａ及び４２ａはそれぞれ、接点部４０ｃ及び４２ｃとともに、はんだテール部４０ｂ及び４２ｂを含む。３つの端子群の接点部は、様々なタイプのメモリカードの接点と係合するように、異なる位置でカード収容空間４８内に延在している。
【００２５】
図４及び７で最もよく分かるように、ガイド端子４４は、概略Ｌ字形のほぼ剛体の本体部４４ａを含み、また、直立したほぼ平坦（たん）な壁４４ｂと内側に曲げられた水平壁４４ｃとを含む。端子は、導電性シートメタル材料から打ち抜き形成することができる。端子は、はんだ付け等によってプリント回路基板上の適切な回路トレースに接続するための脚部４４ｄを含む。端子は、ハウジング３６の溝５２の一方の中に取り付けられ、該溝５２の後端又は内側端の狭いスロットに差し込んで端子をハウジングにしっかりと固定するために、固定舌状部４４ｅが、直立壁４４ｂの拡張部分として形成されている。直立壁４４ｂの開口４４ｇから弾性接点アーム４４ｆが打ち抜き形成され、該接点アームは、直立壁の面よりも外側に曲げられている。
【００２６】
ガイド端子４４は、コネクタ３４内の書き込み禁止用固定スイッチ端子である。図４及び５を更に参照すると、全体を５８で示した書き込み禁止用可動スイッチ端子が、端子４２のすぐ外側に取り付けられている。書き込み禁止用可動スイッチ端子は、端子をハウジングに固定するためにハウジングの基部３６ａの前面にある左側の狭いスロット５４に圧入される固定舌状部５８ａを含む。しかしながら、図４で最もよく分かるように、端子は、端子４４の開口４４ｇを貫通して延在する可撓（とう）性又は可動接点アーム５８ｂを含む。これにより、該可動接点アーム５８ｂは、端子４４の弾性接点アーム４４ｆに対して内側に離間されて配置されている。接点アーム５８ｂは、実質的に、メモリカードによる係合のためにカード収容空間４８内に突出している。最後に、書き込み禁止用スイッチ端子５８は、プリント回路基板上の適切な回路トレースにはんだ付け等によって接続するための脚部５８ｃを備える。後で分かるように、ガイド端子４４は、カード収容空間４８内に様々なタイプのメモリカードを案内する機能と、コネクタのために書き込み禁止用固定スイッチ端子を構成する機能の２つの機能を達成する。
【００２７】
同様に、右側ガイド端子４６は、コネクタのカード収容空間に様々なタイプのメモリカードを案内する機能と、コネクタのためにカード検出用固定端子を構成する機能の２つの機能を達成する。具体的には、ガイド端子４６は、ガイド端子４４と対称な構造を有し、本体部４６ａ、ほぼ平坦な直立壁４６ｂ、水平方向内側に曲げられた壁４６ｃ、はんだ脚４６ｄ、固定舌状部４６ｅ、及び、直立壁４６ｂの開口４６ｇから形成された弾性接点アーム４６ｆを含む。カード検出用可動スイッチ端子６０は、書き込み禁止用スイッチ端子５８と対称な構造を有し、固定舌状部６０ａ、可撓性又は可動接点アーム６０ｂ及びはんだ脚６０ｃを備える。ガイド端子４４のように、ガイド端子４６は、ハウジング３６の右側の溝５２に取り付けられ、カード検出用スイッチ６０の固定舌状部６０ａが、ハウジングの右側の狭いスロット内に固定されている。スイッチ端子６０の可動接点アーム６０ｂは、ガイド端子４６の開口４６ｇを貫通して延在し、可動接点アームが、弾性接点アーム４６ｆに対して内方に離間され、その結果、可動接点アームは、差し込まれたメモリカードと係合するようにカード収容空間内に突出している。
【００２８】
したがって、固定端子４４と可動端子５８は、コネクタの書き込み禁止用スイッチ端子組立体を構成する。固定端子４６と可動端子６０は、コネクタのカード検出用スイッチ端子組立体を構成する。
【００２９】
図８、８Ａ及び９は、図８及び９に示したようなカード収容空間４８内に挿入可能なＳＤ型メモリカード６２を示す。差し込まれると、ガイド端子４４及び４６の直立壁４４ｂ及び４６ｂの内側面がそれぞれ、カードの側縁と係合可能であり、ＳＤカードをカード収容空間に案内するガイド面として働く。図８及び９において、ガイド端子４４及び４６の水平壁４４ｃ及び４６ｃの底面がそれぞれ、カードの上部と係合可能であり、また、ＳＤカードをコネクタ内に案内することが分かる。
【００３０】
ＳＤカード６２がコネクタに差し込まれると、その一方の縁６２ａが、カード検出用スイッチ端子６０の可動接点アーム６０ｂ（図４及び７）と係合し、該可動接点アームを偏移させてガイド端子４６の弾性接点アーム４６ｆと係合させる。これにより、端子４６及び６０によって画定された「スイッチ」が閉じてコネクタのカード検出機能が働く。カード６２上の適切な接点が、第１の端子群３０の端子３８ａの接点部３８ｃと係合する。
【００３１】
図８Ａで分かるように、メモリカード６２上の制御部品６２ｂは、メモリカードの凹部６２ｃ内で双方向矢印「Ｂ」の向きに移動可能である。制御部品が書き込み禁止モードの位置にあるとき、制御部品は、書き込み禁止用スイッチ端子５８の可動接点アーム５８ｂ（図４及び７）と位置合わせされる。これにより、可動接点アーム５８ｂが偏移してガイド端子４４の弾性接点アーム４４ｆと係合し、端子４４及び５８によって画定された「スイッチ」が閉じてコネクタの書き込み禁止機能が働く。制御部品６２ｂが凹部６２ｃ内の反対側の端に移動された場合、凹部は、書き込み禁止用スイッチ端子５８の可動接点アーム５８ｂと位置合わせされ、該可動接点アームは偏移せずガイド端子４４の弾性接点アーム４４ｆと係合しない。
【００３２】
図１０及び１１は、コネクタ３４のカード収容空間４８に差し込まれたＭＳ型メモリカード６４を示す。図１１で最もよく分かるように、ガイド端子４４及び４６の水平壁４４ｃ及び４６ｃの内側縁はそれぞれ、ＭＳカードをカード収容空間に案内するガイド面を形成する。完全に差し込まれると、メモリカード６４上の適切な接点が、第２の端子群４０の端子４０ａの接点部４０ｃと係合する。ガイド端子４４及び４６が、ＳＤカード（図８及び９）並びにＭＳカード（図１０及び１１）を案内するために使用されることが分かる。
【００３３】
図１２及び１３は、コネクタ３４のハウジング３６のカード収容空間４８に差し込まれたＳＭメモリカード６６を示す。完全に差し込まれると、メモリカード６６上の適切な接点が、第３の端子群４２の端子の接点部と係合する。図１２及び１３で分かるように、ガイド端子４４及び４６の水平壁４４ｃ及び４６ｃの上面がそれぞれ、ＳＭメモリカード６６をカード収容空間４８内に案内する。
【００３４】
図１４及び１５は、本発明の第２の実施形態を示し、全体を６８で示した第４の導電端子群が、ハウジング３６の底部７０の基部３６ａに取り付けられている。ガイド端子４４及び４６は、ガイド端子が端子の直立壁４４ｂ及び４６ｂの前面に形成されたガイド溝７２を備えている点を除き、第１の実施形態と同じである。
【００３５】
図１６及び１６Ａは、コネクタのカード収容空間４８に差し込まれるＸＤ型メモリカード７４を示す。図１６Ａで最もよく分かるように、ＸＤカードは、メモリカードの両側のそれぞれに沿って長手方向に延在するガイドレール又はフランジ７４ａを含む。図１６に示したようにＸＤカード７４がカード収容空間４８に差し込まれると、ＸＤカード７４のガイドレール７４ａは、ガイド端子４４及び４６のガイド溝７２内を摺（しゅう）動する。完全に差し込まれると、適切な接点７６（図１６Ａ）が、第４の端子群６８と係合する。
【００３６】
図１７及び１８は、本発明の第３の実施形態を示し、ガイド端子４４及び４６の本体部４４ａ及び４６ａの直立壁４４ｂ及び４６ｂがそれぞれ、内側にそれぞれ湾曲した円弧状弾性アーム７８及び８０によって形成されている。図示したように、水平壁４４ｃ及び４６ｃは、複数の部分に細分化されている。ＳＤ型カード（図８及び８Ａ）がカード収容空間４８に差し込まれると、カードの側面が、円弧状弾性アーム７８及び８０の内側と係合し、カードの上面が、細分化された水平壁４４ｃ及び４６ｃの底面と係合する。差し込まれたカードは、弾性アーム７８を外側に偏移させて書き込み禁止用スイッチ端子５８の接点アーム４８ｂと係合させ、コネクタの書き込み禁止機能を働かせる。カードの右側の縁は、ガイド端子４６の弾性アーム６７を外側に偏移させてカード検出端子６０の接点アーム６０ｂと係合させ、コネクタのカード検出機能を働かせる。
【００３７】
図１９は、本発明の第４の実施形態を示し、この実施形態では、書き込み禁止用スイッチ組立体及びカード検出用スイッチ組立体が両方とも常閉状態であり、スイッチは、メモリカードの挿入によって開かれる。具体的には、書き込み禁止用スイッチ端子５８及びカード検出用スイッチ端子６０の可動接点アーム５８ｂ及び６０ｂが、その遠位端にタブ８４を備えることが分かる。これらのタブはそれぞれ、ガイド端子４４及び４６の直立壁４４ｂ及び４６ｂと通常係合した状態に維持される。可動接点アーム５８ｂ及び６０ｂの残りの部分は、差し込まれたメモリカードと係合するように、直立壁４４ｂ及び４６ｂから内側に突出している。カードがカード収容空間に差し込まれると、カードの側縁が、可動接点アーム５８ｂ及び６０ｂと係合してタブ８４を直立壁４４ｂ及び４６ｂから外側に動かし、端子４４及び５８と端子４６及び６０によって設けられた「スイッチ」を開く。
【００３８】
要するに、以上の説明から、本発明が、２つの極めて単純で、かつ、多機能のガイド端子４４及び４６によって、様々なタイプのメモリカード６２、６４、６６及び７４を効率よく案内し位置合わせすることができるメモリカードコネクタを提供することが分かる。また、そのようなガイド端子は、以上説明した書き込み禁止用端子組立体及びカード検出用端子組立体の固定スイッチ端子を構成するという別の機能も達成する。
【００３９】
本発明をその精神又は中心的特徴から逸脱することなく他の特定の形態で実施できることが分るであろう。したがって、本実施例及び実施形態は、すべての点において例示的であり限定的なものではないと考えなければならず、本発明は、本明細書に示した詳細に限定されない。
【図面の簡単な説明】
【００４０】
【図１】背景技術の項で記載した従来技術のメモリカードコネクタの上面図である。
【図２】本発明の第１の実施形態によるメモリカードコネクタの上方前側から見た斜視図である。
【図３】図２のメモリカードの下方前側から見た斜視図である。
【図４】２つのガイド端子をコネクタハウジングから取り出した状態の第１の実施形態の前面から見た斜視図である。
【図５】第１の実施形態の正面図である。
【図６】第１の実施形態の背面図である。
【図７】可動書き込み禁止端子とカード検出端子とともに２つのガイド端子を示す斜視図である。
【図８】ＳＤ型メモリカードを収容した第１の実施形態の斜視図である。
【図８Ａ】ＳＤメモリカードの斜視図である。
【図９】ＳＤメモリカードを収容した第１の実施形態の正面図である。
【図１０】ＭＳ型メモリカードを収容した第１の実施形態の下側から見た斜視図である。
【図１１】図１０の正面図である。
【図１２】ＳＭ型メモリカードを収容した第１の実施形態の下側から見た斜視図である。
【図１３】図１２の正面図である。
【図１４】本発明の第２の実施形態によるメモリカードコネクタの上方前側から見た斜視図である。
【図１４Ａ】第２の実施形態のガイド端子組立体の斜視図である。
【図１５】第２の実施形態のコネクタの分解斜視図である。
【図１６】第２の実施形態のコネクタに挿入されたＸＤ型メモリカードの斜視図である。
【図１６Ａ】ＸＤメモリカードの下側から見た斜視図である。
【図１７】書き込み禁止用及びカード検出用ガイド端子組立体をコネクタから取り外した状態の本発明の第３の実施形態によるメモリカードコネクタの斜視図である。
【図１８】図１７に示した右側端子組立体の上面図である。
【図１９】本発明の第４の実施形態による書き込み禁止用及びカード検出用ガイドスイッチ端子組立体の斜視図である。
【図１】
2005100365.tif 000003
【図２】
2005100365.tif 000004
【図３】
2005100365.tif 000005
【図４】
2005100365.tif 000006
【図５】
2005100365.tif 000007
【図６】
2005100365.tif 000008
【図７】
2005100365.tif 000009
【図８】
2005100365.tif 000010
【図８Ａ】
2005100365.tif 000011
【図９】
2005100365.tif 000012
【図１０】
2005100365.tif 000013
【図１１】
2005100365.tif 000014
【図１２】
2005100365.tif 000015
【図１３】
2005100365.tif 000016
【図１４】
2005100365.tif 000017
【図１４Ａ】
2005100365.tif 000018
【図１５】
2005100365.tif 000019
【図１６】
2005100365.tif 000020
【図１６Ａ】
2005100365.tif 000021
【図１７】
2005100365.tif 000022
【図１８】
2005100365.tif 000023
【図１９】
2005100365.tif 000024
【外国語明細書】
2005100365000001.pdf
2005100365000002.pdf
2005100365000003.pdf
2005100365000004.pdf